(57)【要約】本発明は、ディジタル日常データのような再生可能ディジタル映像プロダクトへのディジタル的に捕捉されたビデオコンテンツの変換のための方法、装置及びシステムを提供する。一実施形態においては、本発明は、色補正専門家又は“タイマー”が理解することができる再生可能方法でビデオコンテンツの色補正及び調整を撮影のカメラマン／監督が指示することができる繰り返し可能な及び再生可能な値を与えるビデオコンテンツ捕捉情報の数量的評価を可能にするオリジナルのビデオコンテンツの色の少なくとも階調値を有するログビデオ信号を与える。
2009520395.tif 000002
【特許請求の範囲】
【請求項１】
ディジタル画像捕捉装置により捕捉されるディジタルビデオコンテンツの再生可能ディジタル映像プロダクトを与える方法であって：
前記ディジタルビデオコンテンツの少なくとも１つのダイナミックレンジ、捕捉される最大範囲のディジタルビデオコンテンツ、前記ディジタル画像捕捉装置、及びディジタルビデオコンテンツを捕捉するように用いられる最大範囲のディジタル画像捕捉装置に関する情報を用いて、前記ディジタルビデオコンテンツのログビデオ信号表現を生成する段階；
を有する方法。
【請求項２】
請求項１に記載の方法であって：
前記ディジタル画像捕捉装置の前記ダイナミックレンジに対して前記ログビデオ信号表現のフルレンジをマッピングする段階；
を更に有する、方法。
【請求項３】
請求項１に記載の方法であって：
前記ディジタルコンテンツの前記ダイナミックレンジに対して前記ログビデオ信号表現のフルレンジをマッピングする段階；
を更に有する、方法。
【請求項４】
請求項１に記載の方法であって：
前記最大範囲のディジタル画像捕捉装置の前記ダイナミックレンジに対して前記ログビデオ信号表現のフルレンジをマッピングする段階；
を更に有する、方法。
【請求項５】
請求項１に記載の方法であって、前記ログビデオ信号表現は、前記最大範囲のディジタルコンテンツの色成分についてのそれぞれの階調濃度値を有する、方法。
【請求項６】
請求項５に記載の方法であって：
前記ディジタルビデオコンテンツの前記ログビデオ信号表現に対して前記階調濃度値についてそれぞれの濃度オフセットを与える段階；
を更に有する、方法。  
【請求項７】
請求項６に記載の方法であって、前記濃度オフセットは線形オフセットを有する、方法。
【請求項８】
請求項６に記載の方法であって、前記濃度オフセットは、アナログプリンタライトオフセット値をエミュレートするように０乃至５０の範囲内の値を与える、方法。
【請求項９】
請求項６に記載の方法であって、前記ビデオ信号表現は特定の表示環境について色補正される、方法。
【請求項１０】
請求項５に記載の方法であって、前記ログビデオ信号表現は、シーン毎に基づいて前記ディジタルビデオコンテンツの前記色について階調値を与える、方法。
【請求項１１】
請求項１に記載の方法であって、前記ログビデオ信号表現は日常データを生成するように用いられる、方法。
【請求項１２】
請求項１に記載の方法であって、前記ログビデオ信号表現は、日常データを生成するために許容される低解像度及び低圧縮信号を有する、方法。
【請求項１３】
請求項１に記載の方法であって、前記ログビデオ信号表現はビデオ記憶装置に記憶される、方法。
【請求項１４】
請求項１に記載の方法であって、前記ログビデオ信号表現はシーン毎に基づいて記憶される、方法。
【請求項１５】
請求項１４に記載の方法であって、前記記憶されているログビデオ信号表現はディジタル中間体のための開始点として用いられる、方法。
【請求項１６】
請求項１に記載の方法であって：
前記ログビデオ信号表現に表示変換を適用する段階；
を更に有する、方法。
【請求項１７】
請求項１６に記載の方法であって、前記ログビデオ信号表現は、ディスプレイにおける画像が最終的なフィルムプリントの出来映えに適合するように、較正された表示装置において表示されることができる、方法。
【請求項１８】
ディジタルビデオコンテンツの少なくとも１つのダイナミックレンジ、捕捉される最大範囲のディジタルビデオコンテンツ、それぞれのディジタル画像捕捉装置及び最大範囲のディジタル画像捕捉装置に関する情報を用いて、受け入れられたディジタルビデオコンテンツのそれぞれのログビデオ信号表現を生成する処理器及びメモリ；
を有するカラー装置。
【請求項１９】
請求項１８に記載のカラー装置であって：
前記ディジタルビデオコンテンツの前記ログビデオ信号表現を色補正するように前記ログビデオ信号表現の濃度値の調整を可能にするユーザインタフェースであって、前記ディジタルビデオコンテンツの前記ログビデオ信号表現は前記ディジタルビデオコンテンツの色についての階調濃度値を有する、ユーザインタフェース；
を更に有する、カラー装置。
【請求項２０】
請求項１９に記載のカラー装置であって、前記ユーザインタフェースは、無線リモコンの少なくとも１つと、マウス又はトラックボール等のポインティング装置と、音声認識システムと、タッチスクリーンと、オンスクリーンメニューと、ボタンと、ノブと、を有する、カラー装置。
【請求項２１】
ディジタル的に捕捉されたビデオコンテンツの再生可能ディジタル映像プロダクト及び該再生可能ディジタル映像プロダクトの色補正を与えるシステムであって：
前記ビデオコンテンツをディジタル的に捕捉するディジタル捕捉装置；
前記ビデオコンテンツの少なくとも１つのダイナミックレンジ、捕捉される最大範囲のビデオコンテンツ、前記ディジタル捕捉装置及び最大範囲のディジタル捕捉装置に関する情報を用いて、前記ビデオコンテンツのそれぞれのログビデオ信号表現を生成するカラー装置；並びに
前記ビデオコンテンツの前記ログビデオ信号表現を色補正するように前記ログビデオ信号表現の濃度値の調整を可能にするユーザインタフェースであって、前記ビデオコンテンツの前記ログビデオ信号表現は前記ビデオコンテンツの色についてそれぞれの階調濃度値を有する、ユーザインタフェース
を有するシステム。
【請求項２２】
請求項２１に記載のシステムであって：
色補正されたログビデオ信号表現を記憶する記憶手段；
を更に有する、システム。
【請求項２３】
請求項２１に記載のシステムであって：
前記色補正の前に走査装置からの前記ログビデオ信号表現を記憶する記憶手段；
を更に有する、システム。
【請求項２４】
請求項２１に記載のシステムであって：
ディスプレイにおける画像が最終的なフィルムプリントの出来映えに適合するように、変換されたログビデオ信号表現を表示するディスプレイ；
を更に有する、システム。
【発明の詳細な説明】
【技術分野】
【０００１】
本発明は、一般に、ディジタル映像に関し、特に、ディジタル的に捕捉された映像コンテンツから再生ディジタル映像プロダクトを与える、そして再生ディジタル映像プロダクトの色補正を与える方法、装置及びシステムに関する。
【背景技術】
【０００２】
動画業界においては、最初に、オリジナルの動画ネガフィルムは、カメラにおける露光処理中に露光され、処理されたカメラネガを現像し、続いて、映像プロダクトを生成するように複数の方法の一において処理されている。そのような従来のアナログシステムにおいては、フィルムの日常データ（ｄａｉｌｉｅｓ）又はラッシュデータ（ｒｕｓｈｅｓ）は、従来、動画が撮影されたときに生成されている。それらの日常データ及びラッシュデータは処理され、次いで、撮影されたショットは許容可能であるかどうかを判定するように、制作に関して作業している監督、プロデューサ、フィルム編集者等が見ている。制作チームにおける各々の担当者は、チーム内のそれぞれの役割に関連する異なるエレメントについての日常データを評価している。即ち、日常データ及びラッシュデータはフィルムにプリントされている。カメラマン及び監督は、何が最終的なリリースの出来映えが可能かどうかを忠実に“プリビュー”した形式で、前日の作業の結果を見ている。撮影監督（ｄｐ）が、ライト（ｌｉｔｅ）を、それ故、日常データの出来映えを正確に指示する、又は、監督とタイマーとの間に存在する信頼関係を前提とすることが可能であるカメラマンと“タイマー”との間に構築された言語は、撮影監督とのディスカッションに基づいて、ライトを選択し、その撮影監督は、露光が補正されることと、アンサーのプリント処理の間に将来の色補正のためにネガに十分な許容範囲が存在することとを、それらのライトに基づいて確認することが可能である。
【０００３】
より具体的には、日常データにより、シーンが満足できる露光により撮影されたかどうかを判定するように、撮影のカメラマン／監督を支援する“プリンタライト（Ｐｒｉｎｔｅｒ  Ｌｉｔｅ）”情報が与えられる。プリンタライト情報は、研究所の目的の濃度を有するプリントを生成するのに必要な従来の動画フィルムプリンタの設定から決定されている。この情報は、光を３つの成分、即ち、赤色、緑色及び青色に分割するように、シーンからの白色光をダイクロイックフィルタを透過させることにより得られる。それらの３つの光は、光の赤色、緑色及び青色成分の強度に対応する濃度が測定され、“理想的な”露光に対応する基準濃度と比較されることが可能であるテストフィルムストリップを露光するように用いられている。そのテストフィルムストリップにおける赤色、緑色及び青色光成分により生成される濃度は、シーンが記録されるとき、オリジナルのフィルムに対して与えられた露光の指標を与えている。“プリンタライト”情報は、撮影のカメラマン／監督が色補正専門家（カラリスト）又は“タイマー”が理解できる方法でフィルムの色補正を指示することが可能である繰り返し可能な及び再生可能な値を与えている。
【０００４】
今日においては、しかしながら、映画館のプログラムのために作られるコンテンツのディジタルフィルム化の方への動きが活発化している。それ故、映画館で観ることができるように意図されたコンテンツに関して、上記の色補正を実行することはできない。そのようなディジタルフィルム化システムにより、一連の動画は、十分な解像度の画像センサシステムを用いて捕捉され、動画に対応する捕捉されていない一連の十分な解像度の未処理の画像信号をもたらす。十分な解像度の未処理の画像信号は記録され、例えば、ビデオ日常データを生成する特定の出来映えをシミュレートするように処理後段階において後続して画像がレンダリングされる制作後処理に対して供給される。より具体的には、ビデオ日常データはフィルム日常データ又はラッシュデータを置き換え、非線形編集技術は従来のフィルム編集を置き換える。
【０００５】
用語“ディジタル動画カメラ”においては、複数の型及びモデルが使用されていて、更に多くのものが導入されることが予測できる。それらの新しいカメラは有効なワークフローを約束しているが、対処されるべき多くの技術的な重要な点が存在している。例えば、異なるメーカー製のカメラは、色空間、ビット深度及び階調範囲に関して変化する出力をもたらす。静止日常データは更に、始まりに捕捉される“生”画像データから生成される必要があり、単なる日常データはフィルムから生成される必要がある。この同じ“生”画像データは、最終的な色補正が適用され、その色補正は単に走査されるネガフィルムに対するものである場合、ディジタル中間物の基となるものである。結果として得られる最後のディジタル中間データは、フィルム配給のためのリリースプリントを作るようにネガフィルムに記録される。
【０００６】
カメラマンは、例えば、捕捉画像を“プリビューし”、セットにおいてまさに存在する“出来映えを設定する”ことができるように要望を表現するが、彼等はまた、ディジタルカメラが捕捉することができるのと同程度に、できるだけ広いダイナミックレンジを捕捉するように望む。カメラマンは、日常データについての画像の“出来映え”を制御することを望む。これは、日常データの操作は破壊的である可能性があり、しばしば、カメラにより捕捉されることが可能であるダイナミックレンジを制限する。それに代えて、十分なダイナミックレンジを捕捉し、記録することは好ましいが、同時に、ある非破壊的方法で創造的意図を“指定する”ことは好ましい。
【０００７】
更に、それらのディジタル捕捉アプリケーション全てにおける主な短所は、結果として得られる画像は、各々のアプリケーションについて特別に処理されなければならないことである。即ち、許容可能なシーンの再生は、一般に時間を要する試行錯誤に基づいて生成される日常データから得られる。カメラマンが日常データにおけるシーンの出来映えに満足できない場合、全体の処理は、望ましい出来映えが得られるまで、新しい調整から開始して、他の制作後の処理で終了するまで繰り返される。時間を要すること以外に、これはまた、比較的高価な処理である。また、制作後のディジタル処理方法は、典型的には、ディジタル捕捉情報の数量的評価を与えることはできず、従来技術におけるように、撮影のカメラマン／監督が色補正専門家又は“タイマー”が理解できる方法でフィルムの色補正を指示することが可能である繰り返し可能な及び再生可能な値を与えることはできない。
【発明の開示】
【発明が解決しようとする課題】
【０００８】
本発明は、有利であることに、ディジタル的に捕捉された画像／ビデオコンテンツから再生可能なディジタル撮影プロダクトを与える方法、装置及びシステムを提供する。
【課題を解決するための手段】
【０００９】
本発明の一実施形態においては、ディジタル画像捕捉装置により捕捉されるディジタルビデオコンテンツの再生可能ディジタル撮影プロダクトを与える方法は、ディジタルビデオコンテンツの少なくとも１つのダイナミックレンジ、捕捉される最大範囲のディジタルビデオコンテンツ、ディジタル画像捕捉装置及びディジタルビデオコンテンツを捕捉するために使用される最大範囲のディジタル画像捕捉装置に関する情報を用いて、ディジタルビデオコンテンツのログビデオ信号表現を生成する段階を有する。本発明の方法は、ビデオコンテンツのログビデオ信号を色補正するように、ディジタル的に捕捉されたビデオコンテンツの色成分の各々についての濃度オフセットを与える段階を更に有する。本発明の一実施形態においては、そのような濃度オフセットは線形オフセットであり、典型的には、０乃至５０の範囲内のプリンタライトオフセット値をエミュレートする。
【００１０】
本発明の代替の実施形態においては、カラー装置は、ディジタルビデオコンテンツの少なくとも１つのダイナミックレンジ、捕捉される最大範囲のディジタルビデオコンテンツ、それぞれのディジタル画像捕捉装置及び最大範囲のディジタル画像捕捉装置に関する情報を用いて、受け入れられたディジタルビデオコンテンツのそれぞれのログビデオ信号表現を生成する処理器及びメモリを有する。本発明のカラー装置は、ディジタルビデオコンテンツのログビデオ信号表現を色補正するように、ログビデオ信号表現の濃度値の調整を可能にするユーザインタフェースを更に有し、ディジタルビデオコンテンツのログビデオ信号表現はディジタルビデオコンテンツの色についての階調濃度値を有する。
【００１１】
本発明の代替の実施形態においては、ディジタル的に捕捉されたビデオコンテンツの再生可能ディジタル撮影プロダクト及びそのプロダクトの色補正を与えるシステムは、ビデオコンテンツをディジタル的に捕捉するディジタル捕捉装置、ビデオコンテンツ、捕捉される最大範囲のビデオコンテンツ、ディジタル捕捉装置及び最大範囲のディジタル捕捉装置の少なくとも１つのダイナミックレンジに関する情報を用いてビデオコンテンツのそれぞれのログビデオ信号表現を生成するカラー装置と、ビデオコンテンツのログビデオ信号表現を色補正するようにログビデオ信号表現の濃度値の調整を可能にするユーザインタフェースと、を有し、ビデオコンテンツのログビデオ信号表現はビデオコンテンツの色についてのそれぞれの階調濃度値を有する。
【００１２】
本発明の教示は、以下の、添付図に関連付けて説明する詳述を関東することにより容易に理解することができる。
【００１３】
それらの図は、本発明の概念を示すためのものであり、必ずしも本発明を示す唯一の有効な構成ではない。理解を容易にするように、同様の参照番号は、必要に応じて、複数の図に共通する同様の要素を示すように用いられている。
【発明を実施するための最良の形態】
【００１４】
図１は、従来技術の色修正フロー処理／システムについての高レベルのブロック図である。図１の従来技術の色修正フロー処理／システムは、例示として、オリジナルのフィルムコンテンツブロック１１０と、従来のフィルム色補正装置１２０と、カラー制御装置１２５と、結果として得られるフィルムアンサープリントブロック１３０を有する。図１の従来技術の色補正フロー処理／システムにおいては、フィルムコンテンツブロック１１０からのオリジナルのフィルムコンテンツは、フィルム色補正装置１３０に供給される。フィルム色補正装置１３０においては、光を３つの成分、即ち、赤色、緑色及び青色に分割するように、シーンからダイクロイックフィルタ／ミラーを介して白色光が渡される。それらの３つの光成分はテストフィルムストリップを露光するように用いられ、そのテストフィルムストリップから、光の赤色、緑色及び青色成分の強度に対応する濃度が測定され、“理想的な”露光に相当する基準濃度と比較される。シーンが記録されるとき、テストフィルムストリップにおける赤色、緑色及び青色光成分により生成される濃度はオリジナルのフィルムに与えられた露光の表示を与える。その濃度情報は、典型的には、０乃至５０の範囲内の値を与え、中間値は、典型的には、それぞれ、２５、２５、２５であり、中央値の露光に相当する。
【００１５】
図２は、図１の色補正フロー処理／システムで用いるために適切であるフィルム色補正装置１３０の高レベルのブロック図である。図２のフィルム色補正装置１３０は、例示として、６つのダイクロイックフィルタ／ミラー２１０１乃至２１０６と、３つの機械式ライトバルブ２２０１乃至２２０３とを有する。６つのダイクロイックフィルタ２１０１乃至２１０６は、光を３つの成分、即ち、赤色、緑色及び青色に分割するように実行される。それらの３つの光成分は、その場合、フィルムストリップを露光するように用いられる。３つの機械式ライトバルブ２２０１乃至２２０３は、照明されるフィルムストリップの特定のシーンを色補正するように、フィルムストリップを露光するように用いられる赤色、緑色及び青色光の量／濃度をそれぞれ調整するように用いられる。即ち、カラーリスト（タイマー）は、カラー制御装置１２５により、かなり繰り返し可能な方法でそれぞれの赤色、緑色及び青色光の濃度を変えるように、３つの機械式ライトバルブ２２０１乃至２２０３を調整し、それらの濃度は、種々のシーンについての好ましい色情報を再生するように、撮影のカメラマン／監督又はカラーリスト（タイマー）により回復されることが可能である。カラー制御装置１２５により制御される３つの機械式ライトバルブ２２０１乃至２２０３は、フィルムストリップのそれぞれのシーンについての好ましい、かなり繰り返し可能なカラー効果を生成するように、それぞれの赤色、緑色及び青色光の各々について、好ましいバルブが決定され、回復されることが可能であるように、それぞれの赤色、緑色及び青色光の各々に対して、典型的には、０乃至５０の範囲内の濃度値を与える。
【００１６】
しかしながら、上記のように、従来技術の色補正システムにおいては、上記のように、フィルムは決してプリントされない、映画館のプログラム等のための画像のディジタル捕捉の方に益々移行している。それ故、上記の色補正は、映画館で視聴されるように意図されたコンテンツにおいて実行されることはできない。
【００１７】
上記のように、画像のディジタル捕捉により得られるディジタル的な日常データは、フィルムの日常データ又はラッシュデータに置き換えられる。しかしながら、上記のように、それらのディジタル捕捉のアプリケーションの全てにおける主な短所は、結果として得られるディジタル画像は各々のアプリケーションに対して特別に処理される必要があることである。即ち、許容可能なシーンの再生は、一般に時間を要する試行錯誤に基づいて生成される日常データから得られる。カメラマンが日常データにおけるシーンの出来映えに満足していない場合、次いで、望ましい出来映えが得られるまで、新しい調整から開始されて、他の生成後処理で終了する、全部の処理が繰り返される。また、利用可能なディジタル色補正方法は、典型的には、ディジタル捕捉情報の数量評価を提示せず、従来技術のアナログシステムにおけるように、色補正専門家又は“タイマー”が理解できる方法で撮影のカメラマン／監督が色補正を指示することが可能である繰り返し可能な及び再生可能な値を与えることはできない。
【００１８】
従来技術のディジタル捕捉システム及びディジタル色補正処理の不備に対処するように、そして図１の色補正システムのような光学色補正システムの再生可能な及び繰り返し可能な結果を再捕捉するように試みるように、本発明者は、ディジタル的に捕捉された映像コンテンツ／画像から再生可能なディジタル映像プロダクトを与える方法、装置及びシステムを提供する。
【００１９】
図３は、本発明の実施形態に従って、再生可能なディジタル映像へのディジタル的に捕捉された画像の変換のためのディジタルカラーシステムの高レベルのブロック図である。図３のディジタルカラーシステム３００は、例示として、ディジタル画像捕捉装置３１０（例示としては、ディジタル動画カメラ）と、ディジタルカラー装置３２０と、ビデオテープ記録装置３４０とを有する。代替として、ディジタルカラー装置３２０のビデオテープ記録装置３４０は、生ログビデオ信号及び色補正ログビデオ信号（下で、更に詳細に説明する）を記憶するために別個の記憶部（図示せず）を更に有することが可能である。本発明の代替の実施形態においては、本発明のディジタルカラーシステムは、生ログビデオ信号及び色補正ログビデオ信号を個別に記憶する別個の記憶手段を有することが可能である。更に、図３においては、本発明のシステムは、例示として、捕捉装置としてディジタル動画カメラを有するディジタルカラーシステム３００として示され、本発明の代替の実施形態においては、他の装置及び手段が望ましいビデオコンテンツをディジタル的に捕捉するように実施されることが可能である。
【００２０】
図３のディジタルカラーシステムにおいては、オリジナルのビデオコンテンツはディジタル動画カメラ３１０により捕捉される。ディジタル的に捕捉されたビデオカメラはカラー装置３２０と通信する。色補正層３２０は、ディジタル動画カメラ３１０からディジタル的に捕捉されたビデオコンテンツの再生可能なディジタル映像プロダクト（例えば、ログビデオ信号表現）を生成するように、そして生成された再生可能なディジタル映像プロダクトの色補正を与えるように実施されることが可能である。本発明の一実施形態においては、カラー装置３２０から生成された再生可能なディジタル映像プロダクトは、生形式及び色補正形式の両方でビデオテープ記録装置３４０に通信される。更に、図３のディジタルカラーシステム３００においては、ディジタル映像プロダクト（例えば、ログビデオ信号）は、較正された表示装置（図示せず）において始まりを視聴されることができるように、表示変換が適用されることが可能である。最後のディジタル中間色補正処理の間に同じ色補正が適用される場合に、ディスプレイ上の画像が最終的なフィルムプリントの出来映えと適合するように、ディジタル映像プロダクトが較正された表示装置において表示されることが可能であるように、表示変換は、そのディジタル映像プロダクトを補正する。即ち、較正された表示装置において望ましい出来映えが生成された始めの色補正は、後に、日常データを生成し、始めに表示されたものに適合する要素をプリビューするように、生ログビデオ信号に適用される。予備の色補正がまた、最後のディジタル中間色補正についての開始点として用いられることが可能である。
【００２１】
図４は、本発明に従った図３のディジタルカラーシステム３００で用いるのに適するカラー装置３２０の実施形態の高レベルのブロック図である。図４のカラー装置３２０は、本発明に従って、制御プログラム、濃度チャート、ルックアップテーブル（ＬＵＴ）等を記憶するメモリ４２０及び記憶処理器４１０を有する。処理器４１０は、電源、クロック回路、キャッシュメモリ等の従来の支援回路４３０及びメモリ４２０に記憶されているソフトウェアルーチンの実行において支援する回路と協働する。それ故、ここでは、ソフトウェア処理として検討されている処理ステップの一部が、例えば、種々のステップを実行する処理器４１０と協働する回路のようなハードウェアにおいて実施されることが可能であることを検討している。カラー装置３２０はまた、カラー装置３２０と通信する種々の機能要素間のインタフェースを構成する入出力回路４４０を有する。例えば、図３に示すように、カラー装置３２０は、第１の入力経路Ｓ１を介して、動画カメラ３１０と通信し、第２出力経路Ｏ１を介してテープ記録装置３４０と通信する。
【００２２】
本発明のカラー装置３２０は、本発明に従った種々の制御及びプログラム機能を実行するようにプログラムされる汎用コンピュータとして示されているが、本発明は、例えば、特定用途向け集積回路（ＡＳＩＣ）等のハードウェアにおいて実施されることが可能である。それ故、ここで説明している処理ステップは、ソフトウェア、ハードウェア又はそれらの組み合わせにより同等に実行されるように広汎に解釈されるように意図されている。
【００２３】
図３を再び参照するに、動画カメラ３１０からのディジタル的に捕捉されたビデオコンテンツはカラー装置３２０に通信される。本発明の第１実施形態においては、カラー装置３２０において、ディジタル的に捕捉されたビデオコンテンツのログビデオ信号表現が、例えば、捕捉されたビデオコンテンツのダイナミックレンジの情報を用いて生成される。例えば、ディジタル的に捕捉されたビデオコンテンツについての階調濃度値を有するログビデオ信号はカラー装置３２０において生成される。より具体的には、ディジタル的に捕捉されたビデオコンテンツのダイナミックレンジについての情報が、動画カメラ３１０により捕捉された特定のディジタルビデオコンテンツのダイナミックレンジに対してログビデオ信号の階調濃度値のフルレンジをマッピングするように、本発明のカラー装置３２０により用いられる。本発明の一実施形態においては、カラー装置３２０は、ディジタル的に捕捉されたビデオコンテンツのダイナミックレンジを決定することが可能であり、代替として、動画カメラ３２０から捕捉されたビデオコンテンツのダイナミックレンジに関する情報を受け入れることが可能である。代替として、本発明のカラー装置３２０は、例えば、ディジタル的に捕捉されたビデオコンテンツのダイナミックレンジに関する必要な情報を要求する動画カメラ３１０又は関連ディスプレイにおいて、メッセージをユーザに対して表示されるようにする信号を生成することが可能である。
【００２４】
更に、本発明のカラー装置３２０は、赤色、緑色及び青色成分のような色成分に受け入れられたディジタルビデオコンテンツを分離することが可能である。それ故、分離された色についてそれぞれの階調濃度を与えるように、マッピングが実行されることが可能である。本発明に従って、カラー装置３２０により生成されたログビデオ信号の階調濃度値の範囲は、ディジタル動画カメラ３１０により捕捉されたビデオコンテンツのダイナミックレンジにおいて投影される。複数の色の間の既知の濃度を用いて、カラー装置３２０は、下で更に詳細に説明するように、個別の色の各々又は少なくとも一について、濃度のオフセットを与えることによりディジタル色補正を与えることが可能である。
【００２５】
本発明の代替の実施形態においては、カラー装置３２０において、ディジタル的に捕捉されたビデオコンテンツのログビデオ信号表現は、例えば、動画カメラ３１０のダイナミックレンジの情報を用いて生成される。例えば、ディジタル的に捕捉されたビデオコンテンツについての階調濃度値を有するログビデオ信号がカラー装置３２０において生成される。より具体的には、動画カメラ３１０のダイナミックレンジに関する情報は、ビデオコンテンツをディジタル的に捕捉するように用いられる特定の動画カメラ３１０のダイナミックレンジに対してログビデオ信号の階調濃度値のフルレンジをマッピングするように、本発明のカラー装置３２０により用いられる。本発明の一実施形態においては、動画カメラ３１０は、例えば、先行して実行される試験からのダイナミックレンジに関する情報を記憶していることが可能である。
【００２６】
例えば、一連の露光試験が、製造中の使用の前に、特定のカメラにおいて実行されることが可能である。露光試験は、カメラのフルダイナミックレンジが特徴付けられることを確実にするように、露光の広い範囲に亘って行われることが可能である。現在用いられている物理チャートは、１つのｆストップのインクリメントにおいて１３個の離散的なパッチを有する逆光透過性ガラスプレートである。そのようなチャートは、カメラレンズのｆストップの範囲に亘って、典型的には、少なくとも６つのｆストップにおいて露光される。結果として得られるフレームにより、カメラ出力ディジタルコード値から“相対的なシーン強度”へのマッピングが導き出される。本発明の一実施形態においては、このマッピングは、同じチャートに撮影されている場合に、完全に走査された理想的なカメラのオリジナルのネガフィルムに対応する“標準ログコード値”の表に“相対的なシーン強度”により結び付けられる。それ故、何れかのディジタルカメラの出力は、まるでシーンが“基準”ネガフィルムのストックにより捕捉され、そのネガフィルムが走査されたかのように、特徴付けられることが可能である。
【００２７】
代替として。本発明のカラー装置３２０は、例えば、動画カメラ３１０のダイナミックレンジに関する必要な情報を要求する動画カメラ３１０又は関連ディスプレイにおいて、メッセージがユーザに対して表示されるようにする信号を生成することが可能である。そのような実施形態においては、動画カメラ３１０のダイナミックレンジに関する情報は、ディジタル的に捕捉されたビデオコンテンツのそれぞれのログビデオ信号表現を生成するように動画カメラ３１０の色のフルダイナミックレンジに対応する階調濃度値を割り当てることができるように、本発明のカラー装置３２０に通信することが可能である。代替として、本発明に従ったカラー装置３２０は、動画カメラ３１０を有する種々のディジタル捕捉装置のダイナミックレンジに関する記憶されている情報を有することが可能である。
【００２８】
すぐ上に記載している本発明の実施形態においては、カラー装置３２０において、ログビデオ信号の階調濃度値の範囲が、画像捕捉装置（例えば、動画カメラ３１０）のダイナミックレンジにおいて投影されるものである。それ故、同じ画像捕捉装置により捕捉される後続の画像は、ログビデオ信号により、それ故、階調濃度値によりそれぞれ表される。そのような構成により、異なる捕捉画像における同様の色値は、特定の画像捕捉装置（例えば、図３の動画カメラ３１０）のダイナミックレンジを通して一定である、対応する階調濃度値を有する。上記のように、本発明のカラー装置３２０は、受け入れたディジタルビデオコンテンツを赤色、緑色及び青色成分のような色成分に分離することが可能である。それ故、分離された色についてそれぞれの階調濃度を与えるように、マッピングが実行されることが可能である。それらの色の間で既知の濃度を用いて、カラー装置３２０は、下でより詳細に説明するように、それらの分離された色の何れか又は各々について濃度オフセットを与えることにより、ディジタル色補正を与えることが可能である。
【００２９】
本発明の概念に従って、実質的に、何れかの画像捕捉装置は、同じ画像捕捉装置により捕捉された後続の画像がそれぞれ、本発明のログビデオ信号により、それ故、ログビデオ信号の階調濃度値により表されるように、そのダイナミックレンジに関する情報を用いて較正されることが可能である。
【００３０】
本発明の代替の実施形態においては、カラー装置３２０において、ディジタル的に捕捉されたビデオコンテンツのログ信号表現は、特定の色についての固定された階調濃度値を用いて、しかしながら、捕捉されるようになっている最大範囲のビデオコンテンツか又は最大範囲の画像捕捉装置のどちらか又はそれらの両方のダイナミックレンジを考慮して、生成される。より具体的には、最大範囲の画像捕捉装置（例えば、動画カメラ）又は捕捉されるようになっている最大範囲のビデオコンテンツ（例えば、動画）のダイナミックレンジに関する情報は、階調濃度値のフルレンジが最大範囲の画像捕捉装置及び捕捉されるようになっている最大範囲のビデオコンテンツの適用及び組み合わせ全てについて必要な最大のダイナミックレンジを含むように、特定の色に対して、ログビデオ信号の階調濃度値（即ち、何れかの画像捕捉装置により捕捉されることができる何れかの色について又は何れかのディジタル的に捕捉されたビデオコンテンツにおける何れかの色について有効な階調濃度値）のフルレンジをマッピングするように、本発明のカラー装置３２０により用いられる。
【００３１】
本発明の一実施形態においては、有効な動画カメラは、例えば、上記で実行された試験からのそれぞれのダイナミックレンジに関する情報を記憶していることが可能である。代替として、本発明のカラー装置３２０は、例えば、動画カメラ又は関連ディスプレイにおいてユーザに対してメッセージが表示される信号を生成することが可能であり、最大範囲の動画カメラ及び／又は捕捉される最大範囲のビデオコンテンツのダイナミックレンジに関する必要な情報を要求する。そのような実施形態においては、最大範囲の動画カメラ又は最大範囲のビデオコンテンツのダイナミックレンジに関する情報は、本発明のカラー装置３２０に通信されることが可能である。代替として、本発明に従ったカラー装置３２０は、捕捉されるビデオコンテンツのダイナミックレンジに関する情報及び動画カメラ３１０を含む種々の捕捉装置のダイナミックレンジに関する記憶されている情報を有することが可能である。更に、本発明の代替の実施形態においては、カラー装置３２０は、最大範囲のディジタル的に捕捉されたビデオコンテンツのダイナミックレンジを決定することが可能であり、又は代替として、動画カメラ３２０からの最大範囲の捕捉されたビデオコンテンツのダイナミックレンジに関する情報を受け入れることが可能である。
【００３２】
本発明のカラー装置３２０はまた、受け入れられたディジタルビデオコンテンツを赤色、緑色及び青色成分のような色成分に分離することが可能である。それ故、分離された色の何れか又は各々について、それぞれの階調濃度を与えるように、マッピングが実行されることが可能である。それらの色の間で既知の濃度を用いて、下で更に詳細に説明するように、それらの分離された色の何れか又は各々について濃度オフセットを与えることにより、カラー装置３２０はディジタル色補正を与えることが可能である。
【００３３】
すぐ上で説明している本発明の実施形態に従って、カラー装置３２０においては、ログビデオ信号の階調濃度値は、どの画像捕捉装置が用いられているか又はどんなビデオコンテンツが捕捉されているかに拘わらず、特定の色に対するものである。それ故、実質的に何れかの画像捕捉装置により捕捉されたビデオコンテンツ全てのそれぞれが、ログビデオ信号により、それ故、階調濃度値により表現される。そのような構成により、実質的に何れかの画像捕捉装置により捕捉されるような異なる捕捉画像において同様の色値は、対応する階調濃度値を有する。
【００３４】
上記のように、受け入れられたディジタルビデオコンテンツの色の間で既知の濃度を用いて、カラー装置３２０は、例えば、受け入れられたディジタルビデオコンテンツの分離された色の何れか又は各々の階調濃度値について濃度オフセットを与えることにより、ディジタル色補正を与えることが可能である。そのようなオフセットは線形オフセットであり、従来技術の色補正装置のプリンタライト補正をエミュレートすることができる。例えば、本発明の一実施形態においては、その線形濃度オフセットは、従来技術のアナログプリンタライトオフセット値をエミュレートするように、典型的には、０乃至５０の範囲内の値を与えることが可能である。
【００３５】
本発明の種々の実施形態においては、本発明のログビデオ信号表現の特定の階調濃度値は、ルックアップテーブル（ＬＵＴ）を介してディジタル的に捕捉されたビデオコンテンツの色に関連付けられることが可能である。即ち、本発明の種々の実施形態においては、３ＤのＬＵＴが、例えば、受け入れられたビデオコンテンツのそれぞれの色のログビデオ信号表現の階調値をマッピングするカラー装置３２０のメモリ４２０において備えられることが可能である。生ディジタルカメラデータに適用されているルックアップテーブル（ＬＵＴ）は、本発明の一実施形態においては、生ディジタルカメラデータを標準ログに変換する。
【００３６】
上記のように、表示変換が、ディジタル映像プロダクト（例えば、ログビデオ信号）が較正された表示装置における始まりでみられることができるように、カラー装置３２０の出力に適用されることが可能である。表示変換は、最後のディジタル中間色補正処理の間に同じ色補正が適用される場合のような最終的なフィルムプリントに、ディスプレイにおける画像が適合するように、較正された表示装置において表示されることが可能であるように、ディジタル映像プロダクトを補正する。即ち、捕捉表示装置において好ましい出来映えを生成した始まりの色補正は、日常データを生成する、編集する及び始まりに表示されたものに適合する要素をプレビューする生ログビデオ信号に、後に適用される。予備色補正はまた、最後のディジタル中間色補正についての開始点として用いられることが可能である。
【００３７】
更に、本発明に従って、カラー装置３２０の出力は、本来のログビデオ信号についてのパイプライン（搬送装置）として用いられることが可能である。即ち、本発明のカラー装置３２０は、例えば、シーン毎に基づいて、受け入れられたディジタルビデオコンテンツの階調値を有するログビデオ信号を出力する。カラー装置３２０により与えられるログビデオ信号はリアルタイムのログビデオ信号である。カラー装置３２０により与えられるログビデオ信号は、記録するためにビデオテープ記録装置３４０に通信される。上記のように、ビデオテープ記録装置３４０は、生ログビデオ信号及び色補正されたログビデオ信号を記憶する別個の記憶部（図示せず）を有することが可能である。カラー装置３２０により与えられるログビデオ信号は、低分解能及び低圧縮信号を有し、その信号は、例えば、ビデオテープ記録装置３４０においてディジタル日常データを生成するのに許容可能である。
【００３８】
本発明の一実施形態においては、本発明の色補正装置３２０は、色補正又は調整を行うように、別個の色の各々について濃度オフセットを与える手段をユーザに与えるユーザインタフェース３２５を有する。色補正装置３２０のユーザインタフェース３２５は、無線リモコン、マウス又はトラックボール等のポインティング装置、音声認識システム、タッチスクリーン、スクリーン上のメニュー、ボタン、ノブ等を有することが可能である。更に、ユーザインタフェース３２５が、色補正装置３２０若しくは遠隔パネル又は装置に直接備えられている。即ち、ディジタル色補正又は調整は、備えられているユーザインタフェース３２５を介してディジタル的に捕捉されるビデオコンテンツの個別の色成分に対して行われることが可能である。そのようなオフセットは、従来技術のアナログ色補正装置のプリンタライト補正をエミュレートすることが可能である。例えば、本発明の一実施形態においては、線形濃度オフセットが、従来技術のアナログプリンタライトオフセット値をエミュレートするように、典型的には０乃至５０の範囲内の値を与えることが可能である。それ故、本発明のカラー装置３２０のログビデオ出力は、少なくとも、階調値と、ディジタル的に捕捉されたビデオコンテンツの情報であって、例えば、シーン毎に基づいてディジタル的に捕捉されたビデオコンテンツの情報とを有するため、本発明のディジタルカラーシステムは、ディジタル的に捕捉されたビデオコンテンツの色成分の数量的評価を与える再生可能なディジタル映像プロダクトを与え、そして従来のシステムにおけるように、撮影のカメラマン／監督が色補正専門家又は“タイマー”により理解されるようにビデオコンテンツの色補正を指示することが可能である繰り返し可能な且つ再生可能な値を与えることができる。更に、本発明の複数の実施形態においては、色補正ログビデオ信号（例えば、ディジタル通常画像）はテープに記録されているため、記録されているビデオは、更なる色補正又は調整のために再び、再生されることが可能であり、そのような処理は、先行して決定された色補正を調整するように又は全く新しい補正を決定するように、オリジナルの捕捉されたビデオコンテンツが再び処理される必要性を排除する。
【００３９】
ビデオテープ記録装置３４０により記録されたディジタル通常画像を生成する目的でログビデオ信号を与えることに加えて、本発明のディジタルカラーシステム３００は、最後のディジタル中間物のための最初の開始点を決定するように用いられることが可能である。即ち、色補正のために直接、用いられる本発明の概念については、日常データ処理の間に用いられた“フルレンジ”較正は、ディジタル中間物についてのログビデオ信号及び階調濃度値を較正するために用いられる“フルレンジ”較正を適合させる必要がある。物理的日常データは、物理的日常媒体が既に保存されて（例えば、焼かれて）いる日常データの出来映えを有するために、ディジタル中間物のためのソース素材としては用いられない。オリジナルの悪影響を与えないソース取得素材（生ログビデオ信号表現）は、ディジタル中間物についての開始点として用いられる必要はない。
【００４０】
より具体的には、本発明のディジタルカラーシステム３００は、最終バージョンのために全部のオリジナルのビデオコンテンツを色補正するように用いられることが可能である。補正処理から得られるビデオ信号が各々のアプリケーションについて特別に処理される必要がある色補正のために用いられる従来のディジタル装置におけるのと異なり、本発明のディジタルカラーシステムの色補正で用いられる情報、特に、例えば、ディジタル日常データを生成するように用いられる本発明のログビデオ信号における階調値は、全部のオリジナルのビデオコンテンツの最終的な色補正又は調整のための開始点又は基準点として用いられることが可能である。即ち、本発明に従って、フルレンジビデオ信号（例えば、何れかの最初の色補正が適用される前の生ログビデオ信号表現）が、例えば、上記の日常データ処理の間にビデオテープ（即ち、ビデオテープ記録装置３４０の個別の記録部）に捕捉される場合、付加的な“創造的”色補正が、オリジナルのビデオコンテンツを再較正及び処理する必要なく、この“生フルレンジ”捕捉に適用されることが可能である。このことは、各々のショットの“出来映え”に立ち返るように及びそれを修正するように生成後の段階の間に付加的機会をその創造的なタイプ（例えば、監督及び／又はカメラマン）に与え、日常データの処理の間に課される最初の出来映えにより、もはや固定される及び制限されることはない。
【００４１】
更に、経済的理由のために、“ビデオ”のワークフローを介して最終的な色補正を実行する多くの低予算の制作及び独立したフィルムが存在する。本発明に従って、ビデオコンテンツが上記の“フルレンジログ”ビデオにおいて較正される場合、ビデオコンテンツの全許容範囲が、色補正処理の間の更なる創造的な修正のために有効である。
【００４２】
本発明の種々の実施形態においては、本発明のプリンタライトエミュレーションは、特定の研究所に対して較正され、それ故、特定のライトの集合を呼び出すことは、特定の研究所において同じライトを呼び出すことと一致する。しかしながら、何れかの他の特定の研究所のプリンタライトにより較正される本発明に従ったシステムを保護する必要はない。
【００４３】
ディジタル的に捕捉されたビデオコンテンツ（例示的であって、制限するように意図されていない）の再生可能ディジタル映像プロダクトを提供する方法、装置及びシステムについての複数の実施形態について上で説明しているが、上記の教示に照らして、種々の修正及び変形を当業者が行うことが可能であることに留意する必要がある。それ故、同時提出の特許請求の範囲に記載している本発明の範囲及び主旨において、開示されている本発明の特定の実施形態で変形を実行することが可能であることが理解できる。上記では本発明の複数の実施形態について記載しているが、本発明の他の及び更なる実施形態が、本発明の基本概念から逸脱することなく案出されることが可能である。
【図面の簡単な説明】
【００４４】
【図１】従来技術の色補正フロー処理／システムの高レベルのブロック図である。
【図２】図１の色補正フロー処理／システムで用いるために適する従来のフィルム色補正装置の高レベルのブロック図である。
【図３】本発明の実施形態に従って、再生可能ディジタル映像にディジタル的に捕捉されたビデオコンテンツを変換するディジタルカラーシステムの高レベルのブロック図である。
【図４】本発明の実施形態に従って、図３のディジタルカラーシステムで用いるために適するカラー装置の実施形態の高レベルのブロック図である。
【図１】
2009520395.tif 000003
【図２】
2009520395.tif 000004
【図３】
2009520395.tif 000005
【図４】
2009520395.tif 000006
【国際調査報告】
2009520395.tif 000007
2009520395.tif 000008
2009520395.tif 000009